(57)【要約】【課題】既存の折版屋根材固定用のタイトフレームに簡単に装着してタイトフレームを補強できる簡易構造のタイトフレーム用補強金具を提供すること。【解決手段】タイトフレーム１の山部10の下面と、タイトフレーム１を固定する母屋２などの横材２の上面との間に介在せしめてタイトフレーム１を補強するタイトフレーム用補強金具であって、補強金具本体Ａは、前記タイトフレーム１の山部10の下面と前記横材２の上面との間の間隔幅寸法に略合致する高さ寸法を有する構成とすると共に、一枚の金属板３を屈曲形成して平断面略Ｔ字形を呈する形状に形成するか、若しくは二枚の金属板３を略直交状態となるように接合して平断面略Ｔ字形を呈する形状に形成し、この補強金具本体Ａの上部に、前記タイトフレーム１に固定するための固定部４を設ける。【選択図】図３
2008133601.tif 000002
【特許請求の範囲】
【請求項１】
タイトフレームの山部の下面と、タイトフレームを固定する母屋などの横材の上面との間に介在せしめてタイトフレームを補強するタイトフレーム用補強金具であって、補強金具本体は、前記タイトフレームの山部の下面と前記横材の上面との間の間隔幅寸法に略合致する高さ寸法を有する構成とすると共に、一枚の金属板を屈曲形成して平断面略Ｔ字形を呈する形状に形成するか、若しくは二枚の金属板を略直交状態となるように接合して平断面略Ｔ字形を呈する形状に形成し、この補強金具本体の上部に、前記タイトフレームに固定するための固定部を設けたことを特徴とするタイトフレーム用補強金具。
【請求項２】
前記固定部は、前記タイトフレームの山部に固定する吊子の固定具を挿通可能な挿通孔を形成した構成とし、この固定部の挿通孔に挿通した固定具により、この固定部を介して前記吊子と共に前記補強金具本体をタイトフレームの山部に固定し得るように構成したことを特徴とする請求項１記載のタイトフレーム用補強金具。
【請求項３】
前記補強金具本体の上端部に、前記タイトフレームの山部の下面を支承する平板状の支承部を設けたことを特徴とする請求項１，２のいずれか１項に記載のタイトフレーム用補強金具。
【請求項４】
前記補強金具本体の上端部に、前記タイトフレームの山部の上段部の下面を支承する平板状の支承部を設け、この支承部より下方の補強金具本体の上部側部に、タイトフレームの山部の下段部の下面に沿設固定する固定部を突設すると共に、この固定部は、前記山部の下段部に固定する吊子の固定具を挿通可能な挿通孔を形成した構成とし、この固定部の挿通孔に挿通した固定具により、この固定部を介して前記吊子と共に前記補強金具本体をタイトフレームの山部に固定し得るように構成したことを特徴とする請求項１〜３のいずれか１項に記載のタイトフレーム用補強金具。
【発明の詳細な説明】
【技術分野】
【０００１】
本発明は、特に豪雪地域などでの利用に適するもので、タイトフレームを補強し、折版屋根の耐荷重性を向上させるタイトフレーム用補強金具に関するものである。
【背景技術】
【０００２】
例えば、馳式の折版屋根は、母屋２の上面に沿って固定されたタイトフレーム１上に、折版屋根材８を順次被嵌して取付固定することで構成されている（例えば、特許文献１参照。）。
【０００３】
更に具体的には、図３に示すように、タイトフレーム１の山部10に吊子５を固定し、この吊子５を挟み込むようにしてタイトフレーム１上に折版屋根材８を隣接状態に載置すると共に、この隣接する折版屋根材８端部の夫々の山部に設けた接合部同士を吊子５に重合させて、この接合部を馳締めすることによりタイトフレーム１上に吊子５を介して折版屋根材８を取付固定している。
【０００４】
【特許文献１】実開平６−６２０５１号公報
【発明の開示】
【発明が解決しようとする課題】
【０００５】
多量の積雪がある豪雪地帯では、屋根上の積雪の重みや、屋根上に除雪作業者が載った際の荷重によって折版屋根材８が沈み込み変形してしまうことが往々にしてある。
【０００６】
本発明は、このような現状に鑑みて発案されたもので、既存の折版屋根材固定用のタイトフレームに装着してタイトフレームを補強し、折版屋根の耐荷重性能を著しく向上することができる簡易構造の画期的なタイトフレーム用補強金具を提供するものである。
【課題を解決するための手段】
【０００７】
添付図面を参照して本発明の要旨を説明する。
【０００８】
タイトフレーム１の山部10の下面と、タイトフレーム１を固定する母屋２などの横材２の上面との間に介在せしめてタイトフレーム１を補強するタイトフレーム用補強金具であって、補強金具本体Ａは、前記タイトフレーム１の山部10の下面と前記横材２の上面との間の間隔幅寸法に略合致する高さ寸法を有する構成とすると共に、一枚の金属板３を屈曲形成して平断面略Ｔ字形を呈する形状に形成するか、若しくは二枚の金属板３を略直交状態となるように接合して平断面略Ｔ字形を呈する形状に形成し、この補強金具本体Ａの上部に、前記タイトフレーム１に固定するための固定部４を設けたことを特徴とするタイトフレーム用補強金具に係るものである。
【０００９】
また、前記固定部４は、前記タイトフレーム１の山部10に固定する吊子５の固定具６を挿通可能な挿通孔４Ａを形成した構成とし、この固定部４の挿通孔４Ａに挿通した固定具６により、この固定部４を介して前記吊子５と共に前記補強金具本体Ａをタイトフレーム１の山部10に固定し得るように構成したことを特徴とする請求項１記載のタイトフレーム用補強金具に係るものである。
【００１０】
また、前記補強金具本体Ａの上端部に、前記タイトフレーム１の山部10の下面を支承する平板状の支承部７を設けたことを特徴とする請求項１，２のいずれか１項に記載のタイトフレーム用補強金具に係るものである。
【００１１】
また、前記補強金具本体Ａの上端部に、前記タイトフレーム１の山部10の上段部10Ａの下面を支承する平板状の支承部７を設け、この支承部７より下方の補強金具本体Ａの上部側部に、タイトフレーム１の山部10の下段部10Ｂの下面に沿設固定する固定部４を突設すると共に、この固定部４は、前記山部10の下段部10Ｂに固定する吊子５の固定具６を挿通可能な挿通孔４Ａを形成した構成とし、この固定部４の挿通孔４Ａに挿通した固定具６により、この固定部４を介して前記吊子５と共に前記補強金具本体Ａをタイトフレーム１の山部10に固定し得るように構成したことを特徴とする請求項１〜３のいずれか１項に記載のタイトフレーム用補強金具に係るものである。
【発明の効果】
【００１２】
本発明は上述のように構成したから、タイトフレームの山部の下面と、タイトフレームを固定する母屋などの横材の上面との間に補強金具本体を介在固定して、この補強金具本体を山部の補強支柱として機能させることができ、しかも、断面Ｔ字形を呈する形状に形成したこの補強金具本体が高い耐変形強度を発揮するので秀れた耐荷重性を発揮する折版屋根を施工可能となり、その上、本発明の補強金具本体は、一枚の金属板を屈曲形成して平断面略Ｔ字形を呈する形状に形成するか、若しくは二枚の金属板を略直交状態となるように接合して平断面略Ｔ字形を呈する形状に形成する構成のため、この構成は非常に簡易に設計実現可能な構成であり、量産性に秀れ安価な製品を提供可能となるなど、極めて実用性に秀れた画期的なタイトフレーム用補強金具となる。
【００１３】
また、請求項２記載の発明においては、本補強金具を吊子固定用の固定具を利用してタイトフレームに簡単に装着可能となる一層実用性に秀れた構成のタイトフレーム用補強金具となる。
【００１４】
また、請求項３記載の発明においては、平板状の支承部によりタイトフレームの山部の下面の広く支承するため、補強金具本体による補強作用が一層良好に発揮されることになる極めて実用性に秀れた構成のタイトフレーム用補強金具となる。
【００１５】
また、請求項４記載の発明においては、馳式折版屋根用のタイトフレームに対して簡易に、且つ確実に装着可能となる一層実用性に秀れた構成のタイトフレーム用補強金具となる。
【発明を実施するための最良の形態】
【００１６】
好適と考える本発明の実施形態（発明をどのように実施するか）を、図面に基づいて本発明の作用を示して簡単に説明する。
【００１７】
補強金具本体Ａを、タイトフレーム１の山部10の下面と、タイトフレーム１を固定する母屋２などの横材２の上面との間に介在すると共に、この補強金具本体Ａの上部に設けた固定部４をタイトフレーム１に固定する。
【００１８】
すると、通常の折版屋根構造では、タイトフレーム１の山部10と横材２の上面との間に空間が生じているが、この空間部に補強金具本体Ａを介在させることにより、この補強金具本体Ａが山部10を補強する支柱として機能することになる。
【００１９】
また、本発明の補強金具本体Ａは、単なる断面平板状とせず、平断面略Ｔ字形を呈する形状に形成しているため、この補強金具本体Ａに上方から加わる荷重に対して高い耐変形強度を発揮し、よって、秀れた耐荷重性を発揮する折版屋根を施工可能となる。
【００２０】
従って、例えば、折版屋根上に多量に積雪したり、除雪作業者が載ったりして大きな荷重が折版屋根材８に加わっても、折版屋根材８を沈む込み変形させようとする荷重に抗するように補強金具本体Ａが山部10を補強するので、折版屋根材８の変形が防止されることになる。よって、豪雪地域などでは非常に有用なタイトフレーム用補強金具となる。
【００２１】
また、本発明の補強金具本体Ａは、一枚の金属板３を屈曲形成して平断面略Ｔ字形を呈する形状に形成するか、若しくは二枚の金属板３を略直交状態となるように接合して平断面略Ｔ字形を呈する形状に形成する構成のため、この構成は非常に簡易に設計実現可能な構成であり、量産性に秀れ、且つ安価な製品を提供可能となる。
【００２２】
また、例えば、前記固定部４は、前記タイトフレーム１の山部10に固定する吊子５の固定具６を挿通可能な挿通孔４Ａを形成した構成とし、この固定部４の挿通孔４Ａに挿通した固定具６により、この固定部４を介して前記吊子５と共に前記補強金具本体Ａをタイトフレーム１の山部10に固定し得るように構成すれば、本補強金具を吊子５固定用の固定具６を利用して簡単にタイトフレーム１に装着可能となる。
【００２３】
また、例えば、前記補強金具本体Ａの上端部に、前記タイトフレーム１の山部10の下面を支承する平板状の支承部７を設ければ、平板状の支承部７によりタイトフレーム１の山部10の下面の広い面積を支承するため、補強金具本体Ａによる補強作用が一層良好に発揮されることになる。
【００２４】
また、例えば、前記補強金具本体Ａの上端部に、前記タイトフレーム１の山部10の上段部10Ａの下面を支承する平板状の支承部７を設け、この支承部７より下方の補強金具本体Ａの上部側部に、タイトフレーム１の山部10の下段部10Ｂの下面に沿設固定する固定部４を突設すると共に、この固定部４は、前記山部10の下段部10Ｂに固定する吊子５の固定具６を挿通可能な挿通孔４Ａを形成した構成とし、この固定部４の挿通孔４Ａに挿通した固定具６により、この固定部４を介して前記吊子５と共に前記補強金具本体Ａをタイトフレーム１の山部10に固定し得るように構成すれば、馳式折版屋根用のタイトフレームに対して簡易に且つ確実に装着可能となる。
【実施例１】
【００２５】
本発明の具体的な実施例１について図１〜図５に基づいて説明する。
【００２６】
本実施例は、図１，図３に示すような、馳式折版屋根用のタイトフレームに対して利用可能なタイトフレーム用補強金具を構成した場合を示している。
【００２７】
本実施例の補強金具本体Ａは、前記タイトフレーム１の山部10の下面と、タイトフレーム１を固定する母屋２などの横材２の上面との間の間隔幅寸法に略合致する高さ寸法を有する構成とすると共に、一枚の金属板３を屈曲形成して平断面略Ｔ字形を呈する形状に形成している。
【００２８】
具体的には、帯状の金属板３を、その長さ方向を上下方向とし、図２（ａ）に示すようにこの金属板３の横方向の略中間部で折曲してこの金属板３の両側部30・31を重合すると共に、この両側部30・31のうちの一側部30（図面の左側部）の中間部を外側（左側）へ略直角に折曲することで平断面（平面視）略Ｔ字形（図２（ａ）では転Ｔ字形）を呈する形状に構成している。
【００２９】
また、本実施例では、この補強金具本体Ａの上部側部に、前記タイトフレーム１に固定するための固定部４を突設している。
【００３０】
また、補強金具本体Ａの上端部に、前記タイトフレーム１の山部10の下面を支承する平板状の支承部７を設けている。
【００３１】
具体的には、補強金具本体Ａの他側部31（図２（ａ）における右側部）の上端部を外側（右側）へ略直角に折曲形成してこの折曲平板部を前記固定部４としている。
【００３２】
また、この固定部４は、前記タイトフレーム１の山部10に固定する吊子５の固定具６を挿通可能な挿通孔４Ａを形成した構成とし、この固定部４の挿通孔４Ａに挿通した固定具６により、この固定部４を介して前記吊子５と共に前記補強金具本体Ａをタイトフレーム１の山部10に固定し得るように構成している。
【００３３】
また、図面の挿通孔４Ａは、角形の貫通孔に形成し、固定具６として採用するボルト６Ａの基端部にも、この角形の挿通孔４Ａに嵌合する角形部（図示省略）を形成して、この挿通孔４Ａにボルト６Ａを挿通して角形部を嵌合することでボルト６Ａが回り止め状態となり、ボルト６Ａへのナット６Ｂの螺着操作を容易に行えるようにしている。尚、タイトフレーム１の山部10に形成する固定具６挿通用の取付孔10Ｃも角形孔に形成してボルト６Ａの角形部が嵌合する構成としている。
【００３４】
また、補強金具本体Ａの一側部30の、中間の折曲角部30Ａより先端側部30Ｂの上端部を略直角に折曲形成してこの折曲平板部を前記平板状の支承部７としている。
【００３５】
また、本実施例では、図２（ｂ），（ｃ），（ｄ）に示すように、固定部４は、支承部７よりも低い位置に存するように設定構成している。
【００３６】
具体的には、馳式折版屋根に用いるタイトフレーム１の山部10は、吊子５固定用の固定具６が（吊子５下部の固定板部50より上方へ突出する固定具６の上端部が）折版屋根材８の山部の下面に接触することを避けるために、吊子５を一段下げて固定できる下段部10Ｂが形成された段差形状となっているが、固定部４は、この一段低い下段部10Ｂの下面に沿設する高さ位置に存するように前記他側部31上部の折曲位置（固定部４形成位置）を設定構成し、一方、支承部７は、タイトフレーム１の山部10の上段部10Ａの下面を支承する高さ位置に存するように、前記一側部30上部の折曲位置（支承部７形成位置）を設定構成している。
【００３７】
即ち、本実施例では、補強金具本体Ａの下端から固定部４までの高さ寸法を、前記タイトフレーム１の山部10の下段部10Ｂの下面と前記横材２の上面との間の間隔幅寸法に略合致する高さ寸法に設定構成し、補強金具本体Ａの下端から支承部７までの高さ寸法を、前記タイトフレーム１の山部10の上段部10Ａの下面と前記横材２の上面との間の間隔幅寸法に略合致する高さ寸法に設定構成している。
【００３８】
次に、上述のように構成した本実施例の具体的な使用方法を説明する。
【００３９】
補強金具本体Ａの上端部の支承部７をタイトフレーム１の山部10の上段部10Ａの下面（裏面）に当接すると共に、固定部４を下段部10Ｂの下面に当接し、更にタイトフレーム１を固定する母屋２などの横材２の上面に補強金具本体Ａの下端部を載置当接して、タイトフレーム１の山部10の下面と、タイトフレーム１を固定する横材２の上面との間に補強金具本体Ａを介在させる（図４，図５参照。）。
【００４０】
次いで、例えば、図４に示すように固定部４の下方から挿通孔４Ａと，タイトフレーム１の山部10の下段部10Ｂに形成した取付孔10Ｃとに固定具６としてのボルト６Ａを挿入し、この取付孔10Ｃを介して下段部10Ｂより上方へ突出するボルト６Ａの先端を吊子５下部の固定板部50の固定孔50Ａに挿通し、この固定孔50Ａを介して固定板部50より上方へ突出するボルト６Ａの先端にナット６Ｂを螺着することで、この固定部４を介して前記吊子５と共に前記補強金具本体Ａをタイトフレーム１の山部10に固定し、吊子５を介してタイトフレーム１上に折版屋根材８を固定する。
【００４１】
すると、このタイトフレーム１の山部10の下面と横材２の上面との間の空間部に補強金具本体Ａが介在して、この補強金具本体Ａが山部10を補強する支柱として機能し、この補強金具本体Ａの補強作用により、折版屋根上に多量の積雪が生じたり、除雪作業者が載ったりした際の荷重が支持されて折版屋根材８の沈む込み変形が防止されることになる。
【００４２】
また、本実施例は、一枚の金属板３を折曲形成することで、固定部４も支承部７も有する平断面略Ｔ字形の補強金具本体Ａを構成するので、この構成は非常に簡易に設計実現可能な構成であり、量産性に秀れ安価な製品を提供可能となる。
【００４３】
図中符号９は座金である。
【実施例２】
【００４４】
本発明の具体的な実施例２について図６〜図８に基づいて説明する。
【００４５】
本実施例は、前記実施例１において、補強金具本体Ａを、二枚の金属板３を略直交状態となるように接合して平断面略Ｔ字形を呈する形状に形成した場合である。
【００４６】
具体的には、図６に示すように、前記実施例１の補強金具本体Ａにおいて、中間部の折曲部を境にした左側部と略同形状（上端部に前記支承部７が折曲形成された形状）の第一金具半体Ａ１を、一枚の金属板３を折曲形成することで形成する一方、前記実施例１の補強金具本体Ａにおいて、中間部の折曲部を境にした右側部と略同形状（上端部に前記固定部４が折曲形成された形状）の第二金具半体Ａ２を、一枚の金属板３を折曲形成することで形成する。
【００４７】
また、この第一金具半体Ａ１と第二金具半体Ａ２とには、夫々を構成する金属板３より一体的に接合片部３Ａを突設し、この接合片部３Ａ同士を重合した上で溶接などの止着手段により接合固定して、図６（ａ）に示すような平断面略Ｔ字形（転Ｔ字形）を呈する形状に形成している。
【００４８】
この本実施例のように、二枚の金属板３（第一金具半体Ａ１，第二金具半体Ａ２）同士を接合して補強金具本体Ａを形成する構造も、簡易に設計実現可能な構成であり、量産性に秀れ安価な製品を提供可能となる。
【００４９】
その他の構成、及び使用方法は、前記実施例１と同様である。
【００５０】
尚、本発明は、実施例１，２に限られるものではなく、各構成要件の具体的構成は適宜設計し得るものである。
【図面の簡単な説明】
【００５１】
【図１】実施例１の使用状態を示す概略説明斜視図である。
【図２】実施例１を示す説明図である。
【図３】実施例１の使用状態を示す拡大説明正面図である。
【図４】実施例１のタイトフレームへの固定前の状態を示す説明斜視図である。
【図５】図４の吊子を省略した別角度からの説明斜視図である。
【図６】実施例２を示す説明図である。
【図７】実施例２の使用状態を示す拡大説明正面図である。
【図８】実施例２のタイトフレームへの固定前の状態を示す説明斜視図である。
【符号の説明】
【００５２】
１  タイトフレーム
10  山部
10Ａ  上段部
10Ｂ  下段部
２  横材（母屋）
３  金属板
４  固定部
４Ａ  挿通孔
５  吊子
６  固定具
７  支承部
Ａ  補強金具本体
【図１】
2008133601.tif 000003
【図２】
2008133601.tif 000004
【図３】
2008133601.tif 000005
【図４】
2008133601.tif 000006
【図５】
2008133601.tif 000007
【図６】
2008133601.tif 000008
【図７】
2008133601.tif 000009
【図８】
2008133601.tif 000010